(57)【要約】【課題】手元に複数ある宝くじをまとめて照合し、どの宝くじが当選したかを検出する。【解決手段】携帯通信端末１と、くじの当選番号を送信する当選番号ファイルサーバ４とを有する。携帯通信端末１は、複数のくじを同時に撮影する撮像部１１と、撮影したくじの画像を表示する表示部１２と、くじの画像からくじの番号を読み取る番号読取部１４と、くじの番号を記憶するくじ番号記憶部１５−１と、当選番号ファイルサーバ４から受信した当選番号を記憶する当選番号記憶部１５−２と、くじ番号記憶部１５−１のくじの番号と、当選番号記憶部１５−２の当選番号を照合することにより、表示部１２に当選くじの画像を強調表示すること。【選択図】    図1
2014238796.tif 000002
【特許請求の範囲】
【請求項１】
携帯通信端末と、くじの当選番号を格納するとともに前記携帯通信端末に対して前記くじの当選番号を送信する当選番号ファイルサーバとを有する当選くじ照合システムであって、
前記携帯通信端末は、複数のくじを同時に撮影する撮像手段と、
前記撮像手段が撮影した前記くじの画像を表示する表示手段と、
前記くじの画像から前記くじの番号を読み取る番号読取手段と、
前記番号読取手段で読み取った前記くじの番号を記憶する第１の記憶手段と、
前記当選番号ファイルサーバから前記当選番号を受信する受信手段と、
前記受信手段が受信した前記当選番号を記憶する第２の記憶手段と、
前記第１の記憶手段の前記くじの番号と、前記第２の記憶手段の前記当選番号を照合することにより、当選くじを特定する番号照合手段とを有し、
前記表示手段は、前記くじの画像のうち、前記番号照合手段により特定した前記当選くじの画像を強調表示することを特徴とする当選くじ照合システム。
【請求項２】
前記撮像手段は、所定の配列パターンに配列された前記複数のくじを同時に撮影することを特徴とする請求項１記載の当選くじ照合システム。
【請求項３】
前記携帯通信端末は、更に前記くじの画像からくじの券面の画像を検出する画像処理手段を有し、
前記表示手段が強調表示する前記当選くじの画像は、前記画像処理手段が検出したくじの券面の画像に基づくことを特徴とする請求項２記載の当選くじ照合システム。
【請求項４】
前記表示手段は、前記撮像手段により撮影した前記くじの画像と、前記くじの画像が含まれる読取範囲を表示するものとし、
当該読取範囲は、前記所定の配列パターンに配列された前記くじの画像を読み取るためのものであって、
前記強調表示は、前記当選くじの画像を含めた前記読取範囲を強調表示するものであることを特徴とする請求項２記載の当選くじ照合システム。
【請求項５】
前記読取範囲は、読取パターンファイルサーバから送られる読取範囲データに基づくことを特徴とする請求項４記載の当選くじ照合システム。
【請求項６】
前記読取範囲は、前記携帯通信端末が格納する読取範囲データに基づくことを特徴とする請求項４記載の当選くじ照合システム。
【請求項７】
前記画像処理手段は、更に、前記撮像手段が撮影した前記くじの画像から、前記くじが単数か複数か判定することを特徴とする請求項３記載の当選くじ照合システム。
【請求項８】
複数のくじを同時に撮影する撮像手段と、
前記撮像手段が撮影した前記くじの画像を表示する表示手段と、
前記くじの画像から前記くじの番号を読み取る番号読取手段と、
前記番号読取手段で読み取った前記くじの番号を記憶する第１の記憶手段と、
外部装置から前記くじの当選番号を受信する受信手段と、
前記受信手段が受信した前記当選番号を記憶する第２の記憶手段と、
前記第１の記憶手段の前記くじの番号と、前記第２の記憶手段の前記当選番号を照合することにより、当選くじを特定する番号照合手段とを有し、
前記表示手段は、前記くじの画像のうち、前記番号照合手段により特定した前記当選くじの画像を強調表示することを特徴とする携帯通信端末。
【請求項９】
前記撮像手段は、所定の配列パターンに配列された前記複数のくじを同時に撮影することを特徴とする請求項８記載の携帯通信端末。
【請求項１０】
前記くじの画像からくじの券面の画像を検出する画像処理手段を有し、
前記表示手段が強調表示する前記当選くじの画像は、前記画像処理手段が検出したくじの券面の画像に基づくことを特徴とする請求項９記載の携帯通信端末。
【請求項１１】
前記表示手段は、前記撮像手段により撮影した前記くじの画像と、前記くじの画像が含まれる読取範囲を表示するものとし、
当該読取範囲は、前記所定の配列パターンに配列された前記くじの画像を読み取るためのものであって、
前記強調表示は、前記当選くじの画像を含めた前記読取範囲を強調表示するものであることを特徴とする請求項９記載の携帯通信端末。
【請求項１２】
前記読取範囲は、外部装置から送られる読取範囲データに基づくことを特徴とする請求項１１記載の携帯通信端末。
【請求項１３】
読取範囲データを格納する格納手段を有し、
前記読取範囲は、前記格納手段が格納する読取範囲データに基づくことを特徴とする特徴とする請求項１１記載の携帯通信端末。
【請求項１４】
前記画像処理手段は、更に、前記撮像手段が撮影した前記くじの画像から、前記くじが単数か複数か判定することを特徴とする請求項１０記載の携帯通信端末。
【請求項１５】
複数のくじを撮像手段で同時に撮影する撮像工程と、
前記撮像手段で撮影した前記くじの画像を表示手段に表示する表示工程と、
前記撮像手段で撮影した前記くじの画像から前記くじの番号を番号読取手段で読み取る番号読取工程と、
前記番号読取手段で読み取った前記くじの番号を第１の記憶手段に記憶する第１の記憶工程と、
外部装置から前記くじの当選番号を受信手段で受信する受信工程と、
前記受信手段が受信した前記当選番号を第２の記憶手段に記憶する第２の記憶工程と、
前記第１の記憶手段の前記くじの番号と、前記第２の記憶手段の前記当選番号を照合することにより、当選くじを特定する番号照合工程とを有し、
前記番号照合工程により特定した前記当選くじの画像を前記表示手段により強調表示する強調表示工程を含むことを特徴とする当選くじ表示方法。
【請求項１６】
前記撮像工程は、所定の配列パターンに配列された前記複数のくじを同時に撮影することを特徴とする請求項１５記載の当選くじ表示方法。
【請求項１７】
更に、前記くじの画像からくじの券面の画像を検出する券面画像検出工程を含み、
前記強調表示工程で強調表示する前記当選くじの画像は、前記券面画像検出工程で検出したくじの券面の画像に基づくことを特徴とする請求項１６記載の当選くじ表示方法。
【請求項１８】
前記表示工程は、前記撮像手段により撮影した前記くじの画像と、前記くじの画像が含まれる読取範囲を表示するものとし、
当該読取範囲は、前記所定の配列パターンに配列された前記くじの画像を読み取るためのものであって、
前記強調表示は、前記当選くじの画像を含めた前記読取範囲を強調表示するものであることを特徴とする請求項１６記載の当選くじ表示方法。
【請求項１９】
更に前記撮像工程の前に、前記くじを撮像手段で事前に撮影する事前撮像工程と、
前記事前撮像工程で撮影した前記くじの画像から、前記くじが単数か複数か判定する単複判定工程を含むことを特徴とする請求項１５乃至１８いずれか一記載の当選くじ表示方法。
【請求項２０】
所定の配列パターンに配列した複数のくじを撮像手段で同時に撮影する撮像手順と、
前記撮像手段で撮影した前記くじの画像を表示手段に表示する表示手順と、
前記撮像手段で撮影した前記くじの画像から前記くじの番号を番号読取手段で読み取る番号読取手順と、
前記番号読取手段で読み取った前記くじの番号を第１の記憶手段に記憶する第１の記憶手順と、
外部装置から前記くじの当選番号を受信手段で受信する受信手順と、
前記受信手段が受信した前記当選番号を第２の記憶手段に記憶する第２の記憶手順と、
前記第１の記憶手段の前記くじの番号と、前記第２の記憶手段の前記当選番号を照合することにより、当選くじを特定する番号照合手順とを有し、
前記番号照合手順により特定した前記当選くじの画像を前記表示手段により強調表示する強調表示手順をコンピュータに実行させるための当選くじ表示プログラム。
【請求項２１】
前記表示手順は、前記撮像手段により撮影した前記くじの画像と、前記くじの画像が含まれる読取範囲を表示するものとし、
当該読取範囲は、前記所定の配列パターンに配列された前記くじの画像を読み取るためのものであって、
前記強調表示は、前記当選くじの画像を含めた前記読取範囲を強調表示するものであることを特徴とする請求項２０記載の当選くじ表示プログラム。
【発明の詳細な説明】
【技術分野】
【０００１】
本発明は、宝くじなどの当選番号の照合を行う携帯通信端末に関するものである。
【背景技術】
【０００２】
従来、宝くじ及びお年玉付年賀はがきなどの当選番号との照合は、購入者が新聞発表による当選番号に基づいて直接目視により行っているのが一般的であった。また、宝くじの場合は、宝くじ売り場で当選番号の確認をすることも行われている。
【０００３】
特公平８−２１０５５号公報（特許文献１）には、宝くじを読み取って当落を表示する技術が開示されている。特許文献１によれば、まず登録モード時にバーコード読取器で当選番号を登録し、次に探査モード時に同じくバーコード読取器で宝くじの番号を入力し、当落の照合を行う。そして、当選の場合にはランプ表示を行うものである。
【先行技術文献】
【特許文献】
【０００４】
【特許文献１】特公平８−２１０５５号公報
【発明の概要】
【発明が解決しようとする課題】
【０００５】
しかしながら、特許文献１による技術によれば、当選した宝くじを一枚一枚検出することはできるが、手元に複数ある宝くじについて、どの宝くじが当選したかを検出して表示することはできなかった。
【０００６】
本発明が解決しようとする課題は、手元に複数ある宝くじをまとめて照合し、どの宝くじが当選したかを検出して通知することを可能とするものである。
【課題を解決するための手段】
【０００７】
上記課題を解決するために本発明に関する当選くじ照合システムは、携帯通信端末と、くじの当選番号を格納するとともに前記携帯通信端末に対して前記くじの当選番号を送信する当選番号ファイルサーバとを有する当選くじ照合システムであって、前記携帯通信端末は、複数のくじを同時に撮影する撮像手段と、撮影した前記くじの画像を表示する表示手段と、前記くじの画像から前記くじの番号を読み取る番号読取手段と、前記番号読取手段で読み取った前記くじの番号を記憶する第１の記憶手段と、前記当選番号ファイルサーバから前記当選番号を受信する受信手段と、前記受信手段が受信した前記当選番号を記憶する第２の記憶手段と、前記第１の記憶手段の前記くじの番号と、前記第２の記憶手段の前記当選番号を照合することにより、当選くじを特定する番号照合手段とを有し、前記表示手段は、前記くじの画像のうち、前記番号照合手段により特定した前記当選くじの画像を強調表示することを特徴とするものである。
【発明の効果】
【０００８】
上記構成を有する本発明によれば、複数のくじを同時に撮影し、くじの番号と、当選番号を照合することにより当選くじを特定し、表示手段に当選くじの画像を強調表示するようにしたので、どの宝くじが当選したかを通知することが可能になる。
【図面の簡単な説明】
【０００９】
【図１】第１の実施の形態に関する当選くじ照合システムの構成を示すブロック図である。
【図２】第１の実施の形態に関する携帯通信端末のブロック図である。
【図３】第１の実施の形態に関する事前準備方法を示すフローチャートである。
【図４】第１の実施の形態に関する複数の宝くじの読取パターンの表示例を示す説明図である。
【図５】第１の実施の形態に関する宝くじが１枚の場合における表示例の説明図である。
【図６】第１の実施の形態に関する読取パターン別の読取範囲データの説明図である。
【図７】第１の実施の形態に関する当選くじの照合方法を示すフローチャートである。
【図８】第１の実施の形態に関するくじの照合結果を示す説明図である。
【図９】第１の実施の形態に関する当選くじの表示例を示す説明図である。
【図１０】第２の実施の形態に関する携帯通信端末のブロック図である。
【図１１】第２の実施の形態に関する読取パターンの表示例の説明図である。
【図１２】第２の実施の形態に関するくじ券面の位置情報の説明図である。
【図１３】第２の実施の形態に関する当選くじの照合方法を示すフローチャートである。
【図１４】第２の実施の形態に関する当選くじの表示例を示す説明図である。
【発明を実施するための形態】
【００１０】
（第１の実施の形態）
以下、本発明の第１の実施の形態について説明する。図１は第１の実施の形態に関する当選くじ照合システムの構成を示すブロック図である。当選くじ照合システム１００は、複数のくじ（以下宝くじを例に説明する）を同時に撮影するカメラ機能を有する携帯通信端末１と、所定の配列パターンに配列された複数の宝くじの番号を読み取るための後述する読取範囲データを格納し、当該読取範囲データを携帯通信端末１へ送信する読取パターンファイルサーバ２と、宝くじの当選番号を格納し、当該当選番号を携帯通信端末１へ送信する当選番号ファイルサーバ４とからなる。携帯通信端末１は、いわゆるスマートフォンである。携帯通信端末１は、前記カメラ機能及び通信機能を有し、アプリケーションソフトを外部からダウンロードし、内部にインストールすることができる。複数の宝くじを配列する配列パターンとは、後述するように１０枚の宝くじを縦３列×横４行に配列するとか、縦２列×横５行に配列するとか又は縦１列に配列する等の配列パターンをいう。
【００１１】
読取パターンファイルサーバ２は読取範囲データ３２（図６参照）を格納する読取パターンファイル３を接続し、携帯通信端末１から要求のあった読取パターンＮＯ．１乃至ＮＯ．３の全て又は一部の読取範囲データ３２を読取パターンファイル３から読出し、携帯通信端末１へ送信する。当選番号ファイルサーバ４は宝くじの当選番号を格納する当選番号ファイル５を接続し、携帯通信端末１から要求に基づき宝くじの当選番号を当選番号ファイル５から読出し、携帯通信端末１へ送信する。
【００１２】
図２は第１の実施の形態に関する携帯通信端末のブロック図である。図２は携帯通信端末１における本発明に関する機能のみを示し、他の機能は省略してある。端末制御部１０は携帯通信端末１の各部と接続され、制御プログラムに従って各部の動作を制御する。撮像手段としての撮像部１１はカメラであり、携帯通信端末１の前に所定の配列パターンで配列された複数の宝くじを同時に撮影し、一組の宝くじの画像を入手する。
【００１３】
表示手段としての表示部１２は後述する表示画面２１に撮像部１１で撮影した宝くじの画像を表示するとともに、後述する読取範囲２２を表示する。読取範囲２２は、所定の配列パターンに配列された宝くじの画像を読み取るためのものである。操作者が撮像部１１の前に宝くじを配列していないときは、表示部１２には読取範囲２２が表示されるのみである。操作者は表示部１２に表示された読取範囲２２内に宝くじの画像が含まれるよう操作して、撮像部１１のシャッターを押下する。更に、表示部１２は後述するように表示画面２１に当選した宝くじの画像の読取範囲２２を強調表示する。
【００１４】
送受信部１３は音声又はデータを回線を介して送受信する。具体的には、読取パターンファイルサーバ２から読取範囲データ３２を受信し、そして当選番号ファイルサーバ４から宝くじの当選番号を受信する。番号読取手段としての番号読取部１４は、撮像部１１が入手した一組の宝くじの画像から一枚毎の番号部分２４（図４参照）の画像から宝くじの番号を読み取る。
【００１５】
記憶部１５は、端末制御部１０の操作に必要な制御プログラムを格納する。また、記憶部１５は端末制御部１０の制御に従って各動作に必要なデータを記憶し、必要に応じて読み出される。例えば、後述するように番号読取部１４で読み取った複数の宝くじの番号を記憶する第１の記憶手段としてのくじ番号記憶部１５−１を有するとともに、送受信部１３が受信した当選番号を記憶する第２の記憶手段としての当選番号記憶部１５−２を有する。
【００１６】
番号照合手段としての番号照合部１６は前記複数の宝くじの番号と、前記当選番号を照合することにより、当選くじを特定する。入力部１７はキースイッチでもよく、また表示部１２に表示されたタッチパネルでもよい。入力部１７は各種データを入力する。画像格納部１８は取得した宝くじの券面の画像又は番号部分２４の画像を格納する。
【００１７】
図３は第１の実施の形態に関する事前準備方法を示すフローチャートである。
Ｓ１０１：操作者は入力部１７を操作して、宝くじの当選くじ照合システム１００を選択する。すると端末制御部１０は、入力部１７から操作者が当選くじ照合システム１００を選択したことの信号を受信する。端末制御部１０は、送受信部１３に対し読取パターンファイルサーバ２にアクセスするよう指示する。読取パターンファイルサーバ２から回答があると、端末制御部１０は、送受信部１３に対し読取パターンファイルサーバ２へ、読取パターンの選択を要求するよう指示する。読取パターンの選択は、読取パターンＮＯ．１乃至ＮＯ．３の全て又は一部を指定することである。
【００１８】
Ｓ１０２；読取パターンＮＯ．１乃至ＮＯ．３を指定して読取パターンを要求した後、読取パターンファイルサーバ２から当該読取パターンの読取範囲データ３２を受信すると、端末制御部１０は、記憶部１５に対して、受信した読取範囲データ３２を格納するよう指示する。
【００１９】
Ｓ１０３：次に、端末制御部１０は、送受信部１３に対し当選番号ファイルサーバ４にアクセスするよう指示する。当選番号ファイルサーバ４から回答があると、端末制御部１０は、送受信部１３に対し当選番号ファイルサーバ４へ、当選番号を要求するよう指示する。
【００２０】
Ｓ１０４：当選番号の要求をした後、当選番号ファイルサーバ４から当選番号を受信すると、端末制御部１０は、第２の記憶手段としての当選番号記憶部１５−２に対して、受信した当選番号を格納するよう指示する。
【００２１】
図４は第１の実施の形態に関する複数の宝くじの読取パターンの表示例を示す説明図である。図４は複数の宝くじ９を撮像部１１によって同時に撮影し、表示部１２に表示した状態を示す。図４（ａ）は読取パターンＮＯ．１の場合を示す。読取パターンＮＯ．１は、携帯通信端末１の表示画面２１を横長にして使用する。読取パターンＮＯ．１は、縦３列×横４行のマトリクスに合計１０枚乃至１２枚の宝くじ９の画像を表示できる。操作者は、第１枚目から第４枚目の宝くじ９を第１列に、第５枚目から第７枚目の宝くじ９を第２列に、第８枚目から第１０枚目の宝くじ９を第３列に配列する。このような配列パターンを机又はテーブルに配列し、携帯通信端末１の撮像部１１でこれを撮影する。その際複数の宝くじ９は、いわゆる連番でもバラでもいずれでもよい。
【００２２】
それぞれの宝くじ９についての読取範囲２２は、縦横に表示された破線２３によって仕切られる。読取範囲２２は、前述のように所定の配列パターンに配列された宝くじ９の画像を読み取るためのものである。操作者は表示画面２１を見ながら、複数の宝くじ９の画像が、夫々の読取範囲２２に含まれるよう携帯通信端末１を操作する。すべての宝くじ９の画像が各読取範囲２２に同時に入ったところで、操作者は携帯通信端末１の図示しないシャッターを押下する。宝くじ９の番号部分２４を含めた画像が読み取られ画像格納部１８に格納される。なお、読取範囲２２のデータについては図６において後述する。
【００２３】
図４（ｂ）は読取パターンＮＯ．２の場合を示す。読取パターンＮＯ．２は、同様に携帯通信端末１の表示画面２１を横長にして使用する。読取パターンＮＯ．２は、縦２列×横５行のマトリクスに合計１０枚の宝くじ９の画像を表示できる。操作方法は読取パターンＮＯ．１と同じであるので説明を省略する。
【００２４】
図４（ｃ）は読取パターンＮＯ．３の場合を示す。読取パターンＮＯ．３は、携帯通信端末１の表示画面２１を縦長にして使用する。読取パターンＮＯ．３は、縦１列に合計１０枚の宝くじ９の画像を表示できる。操作者は、第１枚目から第１０枚目の合計１０枚の宝くじ９の番号部分２４以外を重ねて配列する。このような配列パターンの宝くじ９を携帯通信端末１の撮像部１１で撮影する。その際複数の宝くじ９は、いわゆる連番でもバラでもいずれでもよい。それぞれの宝くじ９についての読取範囲２２は縦横に表示された破線２３によって仕切られる。読取範囲２２は番号部分２４を含んだ宝くじ9の下部に当てる。操作者は表示画面２１を見ながら、複数の宝くじ９の番号部分２４の画像が、夫々の読取範囲２２に含まれるよう携帯通信端末１を操作する。すべての宝くじ９の番号部分２４の画像が各読取範囲２２に同時に入ったところで、操作者は携帯通信端末１の図示しないシャッターを押下する。
【００２５】
図５は第１の実施の形態に関する宝くじが１枚の場合における表示例の説明図である。宝くじ９が１枚の場合は、携帯通信端末１の表示画面２１を横長にして使用する。操作者は、１枚の宝くじ９を机又はテーブルに置き、携帯通信端末１の撮像部１１でこれを撮影する。読取範囲２２は縦横に表示された破線２３によって仕切られる。操作者は表示画面２１を見ながら、宝くじ９の画像が、読取範囲２２に含まれるよう携帯通信端末１を操作する。宝くじ９の画像が読取範囲２２に入ったところで、操作者は携帯通信端末１の図示しないシャッターを押下する。なお、表示画面２１の全体が読取範囲２２であってもよい。その場合は、破線２３を表示する必要はない。このようにして１枚の宝くじ９の番号部分２４を含めた画像が読み取られ画像格納部１８に格納される。
【００２６】
図６は第１の実施の形態に関する読取パターン別の読取範囲データの説明図である。読取範囲データ３２は前記ステップ１０２において、読取パターンファイルサーバ２から送信され、携帯通信端末１が受信すると記憶部１５に格納される。読取パターンＮＯ．１については、宝くじ第１枚目用の読取範囲２２は、ｘ軸方向が０≦ｘ＜Ｘ／３、ｙ軸方向が０≦ｙ＜Y／４である。なお、Xは表示画面２１の横方向（長辺）の長さであり、Yは表示画面２１の縦方向（短辺）の長さである。以下宝くじ第２乃至４枚目用の読取範囲２２については、ｘ軸方向は第１枚目用と同じであるが、ｙ軸方向はY／４毎に増えていく。宝くじ第５乃至７枚目用の読取範囲２２については、ｘ軸方向はＸ／３増えて、Ｘ／３≦ｘ＜２Ｘ／３であり、ｙ軸方向は宝くじ第１乃至３枚目用の読取範囲２２と同じである。このようにして、宝くじ第１０枚目用までの読取範囲２２が規定される。
【００２７】
読取パターンＮＯ．２については、宝くじ第１枚目用の読取範囲２２は、ｘ軸方向が０≦ｘ＜Ｘ／２、ｙ軸方向が０≦ｙ＜Y／５である。また、Xは表示画面２１の長辺の長さであり、Yは表示画面２１の短辺の長さである。以下宝くじ第２乃至５枚目用の読取範囲２２については、ｘ軸方向は第１枚目用と同じであるが、ｙ軸方向はY／５毎に増えていく。宝くじ第６乃至１０枚目用の読取範囲２２については、ｘ軸方向はＸ／２増えて、Ｘ／２≦ｘ＜Ｘであり、ｙ軸方向は宝くじ第１乃至５枚目用の読取範囲２２と同じである。このようにして、宝くじ第１０枚目用までの読取範囲２２が規定される。
【００２８】
読取パターンＮＯ．３については、１０枚の宝くじ９の番号部分２４以外を重ねて配列してある。即ち、１０枚の宝くじ９の番号部分２４だけが読み取り可能になる。従って、宝くじ第１枚目用の読取範囲２２は、ｘ軸方向がX1≦ｘ＜Ｘ２、ｙ軸方向がY０≦ｙ＜Y１である。なお、X１及びX２は表示画面２１の横方向（短辺）のうちの宝くじ９の番号部分２４をカバーする長さであり、Yは表示画面２１の縦方向（長辺）のうちの宝くじ９の番号部分２４をカバーする長さである。以下宝くじ第２乃至１０枚目用の読取範囲２２については、ｘ軸方向は第１枚目用と同じであるが、ｙ軸方向は番号部分２４の縦方向の長さ毎に増えていく。このようにして、宝くじ第１０枚目用までの読取範囲２２が規定される。
【００２９】
図７は第１の実施の形態に関する当選くじの照合方法を示すフローチャートである。前記図３のステップ１０２において、読取パターンファイルサーバ２から送られ記憶部１５に格納した読取範囲データ３２は、図６で説明した読取パターンＮＯ．１乃至ＮＯ．３の全ての読取範囲データ３２が格納されているものとする。
【００３０】
Ｓ２０１：操作者は、宝くじ９の当選くじの照合に際し、読取パターンＮＯ．１乃至ＮＯ．３のいずれを使用するか選択して入力部１７を介して入力する。端末制御部１０は入力部１７に対し、読取パターンＮＯ．１乃至ＮＯ．３を示す選択信号を検知するよう指示する。
【００３１】
Ｓ２０２：次に端末制御部１０は、記憶部１５に対し選択された読取パターンＮＯ．１乃至ＮＯ．３のいずれか一の読取範囲データ３２を読み出すよう指示する。そして、表示部１２に対して、当該読取範囲データ３２に基づいて、破線２３によって仕切られた読取範囲２２を表示するよう指示する。同時に、端末制御部１０は撮像部１１に対して宝くじ９の画像を取得するよう指示する。そして、表示部１２に対して宝くじ９の画像を表示するよう指示する。
【００３２】
Ｓ２０３：宝くじ９の画像が、うまく読取範囲２２に入ると、操作者はシャッターを押下することができる。端末制御部１０は撮像部１１に対して、シャッターを押下した瞬間の宝くじ９の画像を取得するよう指示する。そして、端末制御部１０は画像格納部１８に対し、宝くじ９の画像を格納するよう指示する。
【００３３】
Ｓ２０４：端末制御部１０は、番号読取部１４に対し、画像格納部１８から宝くじ９の画像を読出し、宝くじ９の番号を読み取るよう指示する。宝くじ９の番号の読取りは、宝くじ９の画像から番号部分２４の画像を切り取り、文字認識を行う。番号読取部１４は１０枚分の宝くじ９について全て番号を読み取る。
【００３４】
Ｓ２０５：端末制御部１０は、第１の記憶手段としてのくじ番号記憶部１５−１に対し、読み取ったくじ番号を格納するよう指示する。格納は読み取った宝くじ９毎に行う。
Ｓ２０６：端末制御部１０は、番号照合部１６に対し、ステップ２０５でくじ番号記憶部１５−１に格納した宝くじ９の番号と、前記ステップ１０４で当選番号記憶部１５−２に格納した当選番号を照合するよう指示する。その結果当選番号と一致した番号があるときは、何枚目の宝くじ９かを特定し、その結果を記憶部１５に格納するよう指示する。
【００３５】
図８は第１の実施の形態に関するくじの照合結果を示す説明図である。同図は読取パターンＮＯ．１のみ示す。１枚目の宝くじ９が一等当選であり、６枚目の宝くじ９が三等当選であり、その他は落選であることを示す。この情報は記憶部１５に照合結果データ３３として格納される。他の読取パターンＮＯ．２及びＮＯ．３についても同様であるので説明を省略する。
【００３６】
Ｓ２０７：端末制御部１０は、照合結果データ３３が格納されると、表示部１２に対し、図６に示した読取範囲データ３２に基づき当選した宝くじ９の読取範囲２２を強調表示するよう指示する。
【００３７】
図９は第１の実施の形態に関する当選くじの表示例を示す説明図である。図９（ａ）は読取パターンＮＯ．１の場合を示す。第１枚目の宝くじ９と第６枚目の宝くじ９が当選していることを表示するために宝くじ９の画像を含めた読取範囲２２を強調表示している。図９（ｂ）は読取パターンＮＯ．２の場合を示す。第２枚目の宝くじ９が当選していることを表示するために宝くじ９の画像を含めた読取範囲２２を強調表示している。図９（ｃ）は読取パターンＮＯ．３の場合を示す。第４枚目の宝くじ９と第７枚目の宝くじ９が当選していることを表示するために宝くじ９の読取範囲２２を強調表示している。
【００３８】
以上第１の実施の形態の説明では、読取範囲データ３２は、読取パターンファイル３に格納し、読取パターンファイルサーバ２から携帯通信端末１へ送信することとしたがこれに限らない。即ち、携帯通信端末１としては、第１回目は読取パターンファイルサーバ２から読取範囲データ３２を受信しなければならないが、当該読取範囲データ３２を記憶部１５に格納しておけば、第２回目以降は格納した読取範囲データ３２を使えばよい。携帯通信端末１は、記憶部１５に格納する読取範囲データ３２に基づいて表示部１２に読取範囲２２を表示することができる。
【００３９】
また、強調表示の説明では、図９に示す市松模様を例に説明したがこれに限らない。他の模様、色彩又は点滅とすることで、落選券と区別して表示できればよい。また、当選くじ９には特等、一等などの当選ランクがあるが、当選ランクに従って強調表示の種類を変えることとしてもよい。この場合図８に示す照合結果データ３３に基づいて当選ランクを把握し、強調表示の種類を変える。
【００４０】
以上のように、第１の実施の形態によれば、所定のパターンに配列した複数のくじを同時に撮影し、くじの番号と、当選番号を照合することにより、当選くじを特定し、表示手段に当選くじの読取範囲２２を強調表示するようにしたので、どの宝くじが当選したかを通知することが可能になる。
【００４１】
（第１の実施の形態の変形例）
ステップ２０１において、操作者は、宝くじ９の当選くじの照合に際し、読取パターンＮＯ．１乃至ＮＯ．３のいずれを使用するか選択して入力部１７を介して入力することとしたが、これに限らない。即ち、ステップ２０１の読取パターンの選択の前に、宝くじ９の当選くじの照合枚数が単数か複数か、枚数選択を可能とするようにしてもよい。単数を選択した場合は、ステップ２０２での表示部１２の表示画面２１の表示は図５に示すようになる。複数を選択した場合は前記説明の通りである。単数を選択した場合、ステップ２０７での強調表示は、当該宝くじ９が当選していたら強調表示され、落選であれば強調表示されないことになる。
【００４２】
（第２の実施の形態）
次に、本発明の第２の実施の形態について説明する。前記第１の実施の形態の説明では、当選くじの強調表示は、当選くじの画像を含む読取範囲２２について行ったが、本実施の形態では、当選くじの画像について強調表示を行うものである。
【００４３】
図１０は第２の実施の形態に関する携帯通信端末のブロック図である。第１の実施の形態と異なるところは、画像処理部３１を設けたことである。画像処理手段としての画像処理部３１は、撮像部１１が撮影した画像から、宝くじ９に相当する画像を認識し、宝くじ９の券面の位置情報３４（図１２参照）を抽出する。位置情報３４は１０枚の宝くじ９について抽出される。後述するように、宝くじ９に相当する画像の位置情報３４は記憶部１５に格納され、当該宝くじ９の当選が特定されたときに、格納された位置情報３４に基づいて宝くじ９の画像が強調表示される。
【００４４】
図１１は第２の実施の形態に関する読取パターンの表示例の説明図である。そして、図１２は第２の実施の形態に関するくじ券面の位置情報の説明図である。図１１（ａ）及び図１２（ａ）は読取パターンＮＯ．１についての読取パターンの表示例及びくじ券面の検出範囲データを示す。図１１（ｂ）及び図１２（ｂ）は読取パターンＮＯ．２についての読取パターンの表示例及びくじ券面の検出範囲データを示す。図１１（ｃ）及び図１２（ｃ）は読取パターンＮＯ．３についての読取パターンの表示例及びくじ券面の検出範囲データを示す。図１１に示す読取パターンの表示例は基本的には第１の実施の形態と同じである。ただし、図１１ではくじ券面の位置情報３４を付記してある。宝くじ９の読取範囲２２については、図６に示した第１の実施の形態の説明と同じであるので説明を省略する。図１２に示した宝くじ９の画像の位置情報３４は、画像処理部３１で検出される。
【００４５】
図１１及び図１２において、読取パターンＮＯ．１については、第１枚目の宝くじ９の位置情報３４はｘ方向が１０≦ｘ≦９０、ｙ方向が５≦ｙ≦４５とする。なお単位は長さを示す単位とするが、ドット数としてもよい。以下宝くじ第２乃至４枚目用のくじ券面の位置情報３４については、ｘ軸方向は第１枚目と同じであるが、ｙ軸方向は５０毎に増えていく。宝くじ第５乃至７枚目のくじ券面の位置情報３４については、ｘ軸方向は、１１０≦ｘ≦１９０であり、ｙ軸方向は宝くじ第１乃至３枚目のくじ券面の位置情報３４と同じである。このようにして、宝くじ第１０枚目までのくじ券面の位置情報３４が検出される。検出された位置情報３４は、記憶部１５に格納される。
【００４６】
読取パターンＮＯ．２については、宝くじ第１枚目の位置情報３４は、ｘ軸方向が３０≦ｘ＜１２０、ｙ軸方向が５≦ｙ＜４５である。以下宝くじ第２乃至５枚目の位置情報３４は、ｘ軸方向は第１枚目と同じであるが、ｙ軸方向は５０毎に増えていく。宝くじ第６乃至１０枚目の位置情報３４については、ｘ軸方向は、１８０≦ｘ≦２７０であり、ｙ軸方向は宝くじ第１乃至５枚目の位置情報３４と同じである。このようにして、宝くじ第１０枚目までの位置情報３４が検出される。
【００４７】
読取パターンＮＯ．３については、１０枚の宝くじ９の番号部分２４以外を重ねて配列してある。即ち、１０枚の宝くじ９の番号部分２４だけが読み取り可能になる。従って、宝くじ第１枚目の位置情報３４は、ｘ軸方向が２０≦ｘ≦１２０、ｙ軸方向が１０≦ｙ≦５０である。宝くじ第２枚目の位置情報３４は、ｘ軸方向が２０≦ｘ≦１２０、ｙ軸方向が５０≦ｙ≦７０である。以下宝くじ第３乃至１０枚目の位置情報３４については、ｘ軸方向は第１枚目と同じであるが、ｙ軸方向は番号部分２４の縦方向の長さ（２０）毎に増えていく。このようにして、宝くじ第１０枚目用までの位置情報３４が検出される。
【００４８】
次に第２の実施の形態に関する動作について説明する。事前準備方法は第１の実施の形態と同じであるので説明を省略する。図１３は第２の実施の形態に関する当選くじの照合方法を示すフローチャートである。
【００４９】
Ｓ３０１：操作者は、宝くじ９の当選くじの照合に際し、読取パターンＮＯ．１乃至ＮＯ．３のいずれを使用するか入力部１７を介して入力する。端末制御部１０は入力部１７に対し、読取パターンＮＯ．１乃至ＮＯ．３を示す選択信号を検知するよう指示する。
【００５０】
Ｓ３０２：次に端末制御部１０は、記憶部１５に対し該当する読取パターンＮＯ．１乃至ＮＯ．３のいずれか一の読取範囲データ３２を読み出すよう指示する。そして、表示部１２に対して当該読取範囲データ３２に従って、破線２３によって仕切られた読取範囲２２を表示するよう指示する。同時に、端末制御部１０は撮像部１１に対して宝くじ９の画像を取得するよう指示する。そして、表示部１２に対して宝くじ９の画像を表示するよう指示する。
【００５１】
Ｓ３０３：宝くじ９の画像が、うまく読取範囲２２に入ると、操作者はシャッターを押下することができる。端末制御部１０は撮像部１１に対して、シャッターを押下した瞬間の宝くじ９の画像を取得するよう指示する。そして、端末制御部１０は画像格納部１８に対し、宝くじ９の画像を格納するよう指示する。
【００５２】
Ｓ３０４：端末制御部１０は、画像処理部３１に対して、格納した宝くじ９の画像から宝くじ９の券面を検出し券面の位置情報３４として記憶部１５に格納するよう指示する。
Ｓ３０５：端末制御部１０は、番号読取部１４に対し、画像格納部１８から宝くじ９の画像を読出し、宝くじ９の番号を読み取るよう指示する。宝くじ９の番号の読取りは、宝くじ９の画像から番号部分２４の画像を切り取り、文字認識を行う。番号読取部１４は１０枚分の宝くじ９について全て番号を読み取る。
【００５３】
Ｓ３０６：端末制御部１０は、第１の記憶手段としてのくじ番号記憶部１５−１に対し、読み取った番号を格納するよう指示する。格納は読み取った宝くじ９毎に行う。
Ｓ３０７：端末制御部１０は、番号照合部１６に対し、ステップ３０６でくじ番号記憶部１５−１に格納した宝くじ９の番号と、前記ステップ１０４で当選番号記憶部１５−２に格納した当選番号を照合するよう指示する。その結果当選番号と一致した番号があるときは、何枚目の宝くじ９か特定するよう指示する。
【００５４】
Ｓ３０８：端末制御部１０は、何枚目の宝くじ９か特定された情報に基づいて、記憶部１５に対して、宝くじ９の券面の位置情報３４を読み出すよう指示する。端末制御部１０は、読み出した位置情報３４に基づいて、表示部１２に対し、当選した宝くじ９の券面の画像を強調表示するよう指示する。
【００５５】
図１４は第２の実施の形態に関する当選くじの表示例を示す説明図である。図１４（ａ）は読取パターンＮＯ．１の場合を示す。第１枚目の宝くじ９と第６枚目の宝くじが当選していることを表示するために宝くじ９の券面の画像を強調表示している。図９（ｂ）は読取パターンＮＯ．２の場合を示す。第２枚目の宝くじ９が当選していることを表示するために宝くじ９の券面の画像を強調表示している。図１４（ｃ）は読取パターンＮＯ．３の場合を示す。第４枚目の宝くじ９と第７枚目の宝くじ９が当選していることを表示するために宝くじ９の券面の画像を強調表示している。
【００５６】
以上、第２の実施の形態によれば、第１の実施の形態の効果と同様の効果に加え、第１の実施の形態が読取範囲２２を強調表示するのに対し、本実施の形態では、宝くじ９の券面の画像を強調表示するので、操作者にとってより分かりやすい表示とすることができる。
【００５７】
（第３の実施の形態）
前記第１の実施の形態の変形例の説明において、ステップ２０１の読取パターンの選択の前に、宝くじ９の当選くじの照合枚数が単数か複数か、枚数選択を可能とするようにしてもよいことを説明した。第３の実施の形態は、これを自動で行うことにある。撮像部１１が撮影したくじの画像から、画像処理部３１が単数のくじの画像か、複数のくじの画像かを判別するものである。
【００５８】
第３の実施の形態に関する携帯通信端末１のブロック図は第２の実施の形態の図１０と一部を除いて同じである。第２の実施の形態と異なるところは、画像処理手段としての画像処理部３１に、撮像部１１が撮影した画像から宝くじ９に相当する画像が単数か複数かを認識する機能を追加したことにある。
【００５９】
第３の実施の形態に関する当選くじの照合方法を示すフローチャートはステップ３０１以外図１３と同じである。Ｓ３０１は次のようになる。即ち、操作者は、宝くじ９の当選くじの照合に際し、携帯通信端末１の撮像部１１のシャッターを押下して、宝くじ９を撮影する。携帯通信端末１の端末制御部１０は、宝くじ９の画像が取得されると、画像処理部３１に対し、宝くじ９が単数か、複数か、いずれであるか判別するよう指示する。単数である場合は、ステップ３０２での表示部１２の表示画面２１の表示は図５に示すようになる。複数の場合は、以後は前述の第１又は第２の実施の形態の通りである。
【符号の説明】
【００６０】
１      携帯通信端末
２      読取パターンファイルサーバ
４      当選番号ファイルサーバ
９      宝くじ
１０    端末制御部
１１    撮像部
１２    表示部
１３    送受信部
１４    番号読取部
１５    記憶部
１６    番号照合部
２２    読取範囲
２４    番号部分
３２    読取範囲データ
１００  当選くじ照合システム
【図１】
2014238796.tif 000003
【図２】
2014238796.tif 000004
【図３】
2014238796.tif 000005
【図４】
2014238796.tif 000006
【図５】
2014238796.tif 000007
【図６】
2014238796.tif 000008
【図７】
2014238796.tif 000009
【図８】
2014238796.tif 000010
【図９】
2014238796.tif 000011
【図１０】
2014238796.tif 000012
【図１１】
2014238796.tif 000013
【図１２】
2014238796.tif 000014
【図１３】
2014238796.tif 000015
【図１４】
2014238796.tif 000016